(57)【要約】【課題】収納が容易であり、且つズレ等のない機能をも備えたタオル等の長尺帯体を提供する。【解決手段】汗の吸収等で使用するタオル等の長尺帯体であって、前記長尺帯体には、縦長孔又は横長孔が設けられ、該縦長孔又は横長孔には収納袋体が設けられている。【選択図】図１
2006346378.tif 000002
【特許請求の範囲】
【請求項１】
汗の吸収等で使用するタオル等の長尺帯体であって、前記長尺帯体には、縦長孔又は横長孔が設けられ、該縦長孔又は横長孔には収納袋体が設けられているタオル等の長尺帯体。
【請求項２】
汗の吸収等で使用するタオル等の長尺帯体であって、前記長尺帯体には、縫製で形成された縦長孔又は横長孔が設けられ、該縦長孔又は横長孔には収納袋体が設けられているタオル等の長尺帯体。
【請求項３】
一端側に縫製加工で形成された縦長孔又は横長孔が設けられ汗の吸収等で使用するタオル等の長尺帯体であって、前記長尺帯体には、縫製で形成された縦長孔又は横長孔が設けられ、該縦長孔又は横長孔には収納袋体が設けられているタオル等の長尺帯体。
【発明の詳細な説明】
【技術分野】
【０００１】本発明は、例えばスポーツ等の汗を吸収するために使用するタオル等の長尺帯体に関する。
【背景技術】
【０００２】スポーツ、ウォーキング、作業時に汗を吸収するのに使用する吸収具として一般的にタオルが使用される。該タオルは一般に長尺状に形成されているために、スポーツ時等においては、使用者の首部分に回巻することで装着する。このタオルを首部分に回巻して装着する際、タオルが滑り落ちないようにタオルを両端側より捩じって棒状にして輪を作って結ぶ、又はタオルの一方側を折り輪を作った後、その輪の中に他方側を挿通することで容易に首部分より離反しないように装着していた。【０００３】しかしながら、上記タオルを首部分に装着する場合は、運動している途中にタオルの結び目部分にズレが生じたり、さらにひどい場合はタオルが体より離脱し、地面に落としてしまう場合が多く発生した。このように、従来のタオルの装着では、装着時の安心感がない不安定なものであった。【０００４】そこで、タオル等の長尺帯体の長尺方向の一端側近傍に、縫製で４０ミリメートル以上に形成された少なくとも２以上の縦長孔、又は横長孔が設けられている汗の吸収等で使用するタオル等の長尺帯体が提案された。
【特許文献１】特願２００３−１０５８７５号
【０００５】上記タオル等の長尺帯体は、首部分、又は額部分に長尺帯体を回巻した後、該長尺帯体の長尺方向の一端側近傍に形成された少なくとも２以上の縦長孔、又は横長孔に、長尺帯体の他端側を連続して挿通し長尺帯体を円弧状に形成することで装着する。この縦長孔、又は横長孔は４０ミリメートル以上に形成されているために長尺帯体の他端側をスムーズに挿通することができるとともに、縦長孔、又は横長孔部分に装着時に捩じれが生じるために、他端側の抜け止め防止機能を果たすこととなる。【０００６】この孔は、一度にホール縫製で形成されているために、そのホール縫製が容易であり、製造コストを低減することができることとなる。また、孔が伸縮（特に、使用頻度により孔が変形したりすることがない）したりすることがないために、使用頻度の多いタオル等の長尺帯体の他端側を容易に挿通することができ、又この部分により、他端側の抜け止めとなる等最適な装着を可能とする。
【発明の開示】
【発明が解決しょうとする課題】
【０００７】しかしながら、上記タオル等の長尺帯体は、装着を主として形成されているために、収納には適さず（例えば、ジョッキング、ウォーキング時における小物入れ等）小物入れを別体として必要と、小物入れが装着の障害になるという欠点があった。
【０００８】また、気温の高い夏日における作業時においては、タオルで汗を拭くだけでは、汗を抑えることができず、冷却手段（例えば、保冷体等）を別個に必要とし、また寒い日においては寒さ対策として保温手段を別個に必要とするが、上記同様に冷却手段または保温手段を把持することによる装着の障害になるという欠点があった。
【０００９】本発明は、上記ような実情に鑑みてなされたもので、収納が容易であり、且つズレ等のない機能をも備えたタオル等の長尺帯体を提供することを課題とするものである。
【課題を解決するための手段】
【００１０】上記目的を達成するため、本発明は請求項１に記載のように、汗の吸収等で使用するタオル等の長尺帯体であって、前記長尺帯体には、縦長孔又は横長孔が設けられ、該縦長孔又は横長孔には収納袋体が設けられている。
【００１１】また、請求項２に記載のように、汗の吸収等で使用するタオル等の長尺帯体であって、前記長尺帯体には、縫製で形成された縦長孔又は横長孔が設けられ、該縦長孔又は横長孔には収納袋体が設けられている。
【００１２】また、請求項３に記載のように、一端側に縫製加工で形成された縦長孔又は横長孔が設けられ汗の吸収等で使用するタオル等の長尺帯体であって、前記長尺帯体には、縫製で形成された縦長孔又は横長孔が設けられ、該縦長孔又は横長孔には収納袋体が設けられている。
【発明の作用】
【００１３】本発明のタオル等の長尺帯体を使用する場合は、首部分、又は額部分に長尺帯体を回巻して装着する。この際、小物等があれば、縦長孔又は横長孔を介して収納袋体に収納することで、スポーツウエアーに収納用のポケット等がなくても、タオル等の長尺帯体に収納することができるので、その持ち運びが容易となる。
【００１４】また、タオル等の長尺帯体を使用する場合は、首部分、又は額部分に長尺帯体を回巻した後、該長尺帯体の長尺方向の一端側近傍に形成された縦長孔、又は横長孔に、長尺帯体の他端側を連続して挿通し長尺帯体を円弧状に形成することで装着する。この際、小物等があれば、縦長孔又は横長孔を介して収納袋体に収納することで、スポーツウエアーに収納用のポケット等がなくても、タオル等の長尺帯体に収納することができるので、その持ち運びが容易となる。
【００１５】また、夏日においては収納袋体に冷却手段を収納することで汗を冷却手段で抑えながら使用することができ、寒い日には、収納袋体に保温手段を収納することで寒さを緩和することができる。
【発明の効果】
【００１６】このように、本発明は、収納袋体に小物等を自在に収納することができるので、その利用範囲を格段に向上することができる。
【００１７】しかも、収納袋体は、縫製加工で形成された縦長孔又は横長孔に設けられているために、開口部が使用中に容易に広がったりすることがないので、その収納状態を安定して収納することができる。
【発明を実施するための最良の形態】
【００１８】以下、本発明のタオル用の長尺帯体の一実施の形態を、図面に沿って説明する。図１は本発明のタオル用の長尺帯体を示す概略平面図であり、図２はタオル用の長尺帯体の縦長孔を示す概略拡大平面図であり、図３はタオル用の長尺帯体の使用例を示す概略斜視図である。図４、図５はタオル用の長尺帯体の他実施例を示す。【００１９】本発明のタオル用の長尺帯体１は、タオルに使用されるべく通常考えられる材質（汗の吸収性の良い材質）で構成され、且つ通常考えられる長さ（首に回すのに適度な長さ）の一本の長尺帯状に形成されている。【００２０】前記タオル用の長尺帯体１の長尺方向の一端側２近傍には、長尺方向に対して平行した状態で一対の縦長孔３Ａ、３Ｂが形成されている。該縦長孔３Ａ、３Ｂは、タオル用の長尺帯体１の他端側４が挿通可能な規格縫製加工された大きさに４０ミリメートル以上１２０ミリメートル以下に形成されている。尚、前記縦長孔３Ａ、３Ｂの形成位置は上記ように平行に限定されるものでなく、縦長孔３Ａと縦長孔３Ｂとの位置をズラして形成することで、長尺帯体１を斜めにしてさらに長い状態て使用することも可能である。また、縦長孔３Ａ、３Ｂの長さを決定するのは、長尺帯体１の幅により決定されるものである。又、孔の形状は縦長孔３Ａ、３Ｂに限定されるものでなく、横長孔で形成することも可能である。【００２１】前記縦長孔３Ａ、３Ｂは、規格縫製加工されているために、縦長孔３の開口部縁部５は、例えば服のボタンを挿通する孔と同様に構成されているために、長尺帯体１の他端側４を挿通するのに適し、また縦長孔３Ａ、３Ｂの形を一定に保持することができる。【００２２】また、縦長孔３の縫い目は、ウイップ縫い（平縫い…縫製機で千鳥縫いをしたときと同じように、生地（タオル用の長尺帯体１）の表には上糸が、裏には下糸がジグザグに出ている縫い目）を、縫製加工で一度に形成することで形成される。この際、綿糸を使用することにより、タオル用の長尺帯体１と調和することとなる他、毎日の洗濯にも対応することができることとなる。さらに、綿糸を使用することにより、強度を保ことができるので、滑り止め効果を高めることができる。【００２３】前記長尺帯体１の横幅Ａの中央部近傍に縦方向で縦長孔１０が、大きさに１０ミリメートル以上で規格縫製加工され、且つ該縦長孔１０には、小物等の収納用となる収納袋体１１が設けられている。前記縦長孔１０は、上記縦長孔３と同様に強度が保たれているために、収納袋体１１の収納状態を維持することができる。尚、前記収納袋体１１の形状は、縦長孔１０を開口部とするなら縦幅Ｂ方向に長尺状に形成しても、また横幅Ｂ方向に形成してもよい。また、縦長孔１０の開口部を封止するためのボタン等の封止具を取り付けることも可能である。【００２４】また、前記縦長孔１０の数は、１つでも複数でも可能であり、使用目的に応じて、又はデサインに応じて決定することができる。【００２５】本発明のタオル用の長尺帯体１は、上記のように構成されている。次に、タオル用の長尺帯体１を使用する場合について説明する。【００２６】先ず、タオル用の長尺帯体１を長尺方向に二つ折り、又は長尺方向に適当に束ねて、装着者の首部分に回し、該長尺帯体１の他端側４を一端側２近傍の縦長孔３Ａへ挿通し、その後縦長孔３Ｂに挿通することで長尺帯体１をリング状に形成して装着する。この際、縦長孔３Ａ、３Ｂは、縫製加工されているために、形を一定に保持することができるので、他端側４の挿通が容易であり、又挿通後の縫製加工部分が滑止となり他端側４が容易に縦長孔３Ａ、３Ｂより離脱しない。【００２７】しかも、長尺帯体１の他端側４は、縦長孔３Ａ、３Ｂと連続して挿通してあるためにスポーツ時に体を大きく動かしてもその離脱がなく、長時間の使用に適し、汗を連続して吸収することで快適に使用することができる。【００２８】また、縦長孔３Ａ、３Ｂは目立つことがなく、ファッション用的にも適することとなる。【００２９】この状態で、ジョッキング等のスポーツを行う。通常スポーツウエアーには、小物等の適切な収納ポケットがない場合には、小物等を収納袋体１１に収納する。前記収納袋体１１は、開口部である縦長孔１０をその状態でしっかりと維持することができるので、安定した収納状態を維持することができる。【００３０】特に、保冷体等の冷却手段の場合収納袋体１１に収納することで夏日においても別体としての収納具を必要とすることなく、汗を抑えることができ快適に使用することができる。逆に、寒い日においては、保温手段を収納袋体１１に収納することで温かい状態で使用することができる。【００３１】尚、上記実施例では、長尺帯体１には縦長孔３Ａ、３Ｂが設けられたが、本発明において長尺帯体１に縦長孔３Ａ、３Ｂがあることは必須の条件ではなく、例えば、縦長孔３Ａ、３Ｂのない長尺帯体１に、縦長孔１０を設けるように構成することも可能であり、また、縦長孔１０の形成においても、縫製加工することは必須の条件ではなく、通常の縦長孔１０に形成することも可能である。【００３２】また、上記実施例では、タオル用の長尺帯体１を装着者の首部分に回して使用したが、長尺帯体１の他端側４が容易に縦長孔３Ａ、３Ｂより離脱しないために、額に回して使用することも可能である。要は、収納袋体１１の設けられた縦長孔１０が設けられていれば、その使用方法は限定されるものでない。
【図面の簡単な説明】
【００３３】
【図１】は、本発明のタオル用の長尺帯体を示す概略平面図である。
【図２】は、タオル用の長尺帯体の縦長孔を示す概略拡大平面図である。
【図３】は、はタオル用の長尺帯体の使用例を示す概略斜視図である。
【図４】は、タオル用の長尺帯体の他実施例である。
【図５】は、タオル用の長尺帯体の他実施例である。
【符号の説明】
【００３４】    １…タオル用の長尺帯体
３…縦長孔、又は横長孔
１０…縦長孔
１１…収納袋体
【図１】
2006346378.tif 000003
【図２】
2006346378.tif 000004
【図３】
2006346378.tif 000005
【図４】
2006346378.tif 000006
【図５】
2006346378.tif 000007